(57)【要約】【課題】多数のセンサー、演算装置等を要することなく、したがって、大掛かりな設備を必要とせず、比較的安価な道路案内装置を提供することを目的とする。【解決手段】携帯端末機２が操作されないときには案内表示装置４は、歩行者、車両に対して、案内表示部４１だけで表示を行なう。歩行者１が携帯端末機２に行き先を入力して、行き先無線信号を送出すると、案内表示装置４は自己のアドレスの信号を受信し、注意喚起表示部４２を作動する。利用者はこの注意喚起表示部の作動により、行き先案内表示部の存在、表示内容を認識する。【選択図】図１
2005106697.tif 000002
【特許請求の範囲】
【請求項１】
任意の行き先を入力可能であり、操作により行き先に応じた行き先無線信号を送出する携帯端末機と；
道路等に設けられ、行き先への案内表示部を有するとともに、自己の案内表示部に対応した行き先無線信号を受信した場合には案内表示部の位置を知らせる表示を行なう注意喚起表示部を有する案内表示装置と；
を具備していることを特徴とする道路案内装置。
【請求項２】
送受信部および表示手段を有するとともに任意の行き先を入力可能であり、操作により行き先に応じた行き先無線信号を送受信部から送出する携帯端末機と；
道路等に設けられ、行き先への案内表示部を有するとともに、自己の案内表示部に対応した行き先無線信号を受信した場合には受信確認信号を携帯端末機に送出して携帯端末機の表示手段を作動させる案内表示装置と；
を具備していることを特徴とする道路案内装置。
【請求項３】
前記携帯端末機は停止操作されるまで行き先無線信号を継続的に送出可能であり、案内表示装置は携帯端末機が予め設定された距離以内に接近した場合に注意喚起表示部を作動または受信確認信号を送出するものであることを特徴とする請求項１または２記載の道路案内装置。
【発明の詳細な説明】
【技術分野】
【０００１】
本発明は、歩行者等に対して所望の行き先までの案内表示を認識し易くした道路案内装置に関する。
【背景技術】
【０００２】
所定エリアにおける複数個の入り口から所望の行き先までの道路を多数のブロックに分割し、行き先地の駐車場情報やブロック化された道路の混雑情報を収集して、利用者に対して推奨ルートをエリアの地図や携帯端末に表示する案内システムが特開2002-286471号公報によって提案されている（従来技術）。
【特許文献１】特開2002-286471（第３頁、図１）
【発明の開示】
【発明が解決しようとする課題】
【０００３】
従来技術は、道路の混雑状態まで考慮してルートを表示するため、適切な案内表示が行なえるものと考えられる。しかしながら、従来技術は、駐車場の車両の入出力監視、道路の車両運行状況監視等を行なう必要があり、多数のセンサー、センサーからの検知出力に応じて演算処理する演算装置等を要して、設備が大掛かりになり、高価なシステムになってしまうという問題点がある。
【０００４】
本発明は、大掛かりな設備を必要とせず、したがって、比較的安価な道路案内装置を提供することを目的とする。
【課題を解決するための手段】
【０００５】
請求項１に記載の道路案内装置は、任意の行き先を入力可能であり、操作により行き先に応じた行き先無線信号を送出する携帯端末機と；道路等に設けられ、行き先への案内表示部を有するとともに、自己の案内表示部に対応した行き先無線信号を受信した場合には案内表示部の位置を知らせる表示を行なう注意喚起表示部を有する案内表示装置と；を具備していることを特徴とする。
【０００６】
本発明および以下の各発明において、特に言及しない限り、各構成、用語は以下のように定義される。携帯端末機は、歩行者、車両にて任意に持ち運べるもので、例えば携帯電話機、モバイル機器、電波信号の送出機能を備えたノート形パソコン等を用いることができる。
【０００７】
案内表示装置は、行き先案内表示部としては単に行き先を表示したもの、表示板を内部からまたは外部から照明するもの、複数個の表示素子を用いた表示内容可変式のもの等を適宜使用し得る。注意喚起表示部としては、光、音またはこれらを併用するもの、駆動部を駆動させるもの等どのようなものでもよい。光を用いる場合には、回転灯を付加したり、行き先案内表示部を照明する（表示内容可変式のものにあっては点灯する）ランプを点滅するようにしてもよい。また、行き先無線信号の受信手段としては、例えば携帯端末機が携帯電話機の場合には電話の受信機であり、携帯端末機が前記のような他のものの場合には、その携帯端末機が送出する無線信号に合わせたものとすることができる。電話の受信機以外の場合には自己のアドレスを設定しておく。
【０００８】
さらに、案内表示装置と携帯端末機との間の送信（または送受信）は直接行なってもよいし、サーバ等の中継手段を介して行なってもよい。中継手段を用いる場合、所定エリア毎に中継手段を配置し、中継手段に所定エリア内の各地点とこの各地点を案内する案内表示装置との関係を対応付けておく。そしてたとえばインターネットのホームページから所望の行き先を検索し、この行き先をクリックすることにより中継手段は対応付けられた案内表示装置に行き先無線信号を送出する。
【０００９】
請求項１記載の発明は、携帯端末機が操作されないときには案内表示装置は、歩行者、車両に対して、案内表示部だけで表示を行なう。歩行者等の利用者が携帯端末機に行き先を入力して、行き先無線信号を送出すると、案内表示装置は自己のアドレスの信号を受信し、注意喚起表示部を作動する。利用者はこの注意喚起表示部の作動により、行き先案内表示部の存在、表示内容を認識する。
【００１０】
請求項２に記載の道路案内装置は、送受信部および表示手段を有するとともに任意の行き先を入力可能であり、操作により行き先に応じた行き先無線信号を送受信部から送出する携帯端末機と；道路等に設けられ、行き先への案内表示部を有するとともに、自己の案内表示部に対応した行き先無線信号を受信した場合には受信確認信号を携帯端末機に送出して携帯端末機の表示手段を作動させる案内表示装置と；を具備していることを特徴とする。
【００１１】
請求項２の発明における携帯端末機における表示手段は、光、音、振動あるいはこれらを任意に組合わせて用いるもののいずれでもよい。また、案内表示装置は請求項１記載の発明のような注意喚起表示部を備えていてもよい。この場合、利用者に対する案内表示装置の認識効果を一層向上できる。
【００１２】
請求項２記載の発明は、歩行者等の利用者が携帯端末機に行き先を入力して、行き先無線信号を送出すると、案内表示装置は自己のアドレスの信号を受信し、受信した形態端末機のアドレス信号を付加して確認信号を送出する。この確認信号を受けて携帯端末機は表示手段を作動させる。したがって、利用者はこの表示手段の作動により、少なくとも行き先案内表示部が近くにあることを認識する。
【００１３】
請求項３に記載の道路案内装置は、請求項１または２記載の発明において、前記携帯端末機は停止操作されるまで行き先無線信号を継続的に送出可能であり、案内表示装置は携帯端末機が予め設定された距離以内に接近した場合に注意喚起表示部を作動させるものであることを特徴とする。
【００１４】
請求項３記載の発明は、行き先無線信号が停止操作されるまで継続的に送出される。利用者は所望の行き先を示す案内表示装置の近くに達する以前に行き先無線信号を送出し、その後、所望の行き先案内表示装置に近付くと、その案内表示装置が請求項１または２と同様に作動する。
【発明の効果】
【００１５】
請求項１記載の発明によれば、案内表示装置に注意喚起表示部を設け、行き先無線信号を受信して注意喚起表示装置を作動させるから、歩行者等の利用者は容易に案内表示装置を見つけ、その案内表示部の表示内容により所望の行き先または行き先へのルートを認識できる。案内表示装置は、本来有している案内表示部に注意喚起表示部および行き先無線信号受信手段を付加すればよいので、比較的安価に提供できる。
【００１６】
請求項２記載の発明によれば、案内表示装置からの確認信号により携帯端末機の表示手段が作動し、利用者は案内表示装置が近くに存在することでき、その結果、案内表示部の表示内容を見て所望の行き先または行き先へのルートを認識できる。案内表示装置は、本来有している案内表示部に確認信号送出手段および行き先無線信号受信手段を付加すればよいので、比較的安価に提供できる。
【００１７】
請求項３記載の発明によれば、利用者が所望の行き先を示す案内表示装置から離れた地点で行き先無線信号を送出し、その後案内表示装置に接近すると、請求項１または２記載のように案内表示装置を認識できるので、利用者は度々携帯端末機を操作する必要がなく、利便性が向上する。
【発明を実施するための最良の形態】
【００１８】
以下、本発明の実施の形態を、図面を参照して説明する。まず、本発明の第１の実施形態について説明する。
【００１９】
図１は、第１の実施形態を示す概略図、図２は携帯端末機の構成を示すブロック図、図３は案内表示装置の構成を示すブロック図である。なお、図１は複雑化を避けるために説明に最小限必要な部分を示し、他は省略してある。図１において、１は歩行者であり、携帯端末機２を持ち、○×役所３を目指している。４は交差点に設けられた○×役所を示す案内表示装置である。案内表示装置４は、行き先案内表示部４１および注意喚起表示部４２を有している。
【００２０】
前記携帯端末機２は図２に示すように、行き先を入力する入力部２１、この入力部２１に入力された行き先に応じて行き先無線信号を送出する送信部２２を有している。また、バッテリ等からなる電源部２３を有している。さらに、本実施形態においては、案内表示装置４からの確認信号を受信する受信部２４、この受信部２４が確認信号を受信することにより作動される表示手段２５を有している。さらにまた、アドレス設定２６が設けられている。
【００２１】
案内表示装置４は図３に示すように、前記行き先案内表示部４１および注意喚起表示部４２の他に、携帯端末機２からの行き先無線信号を受信して注意喚起表示部４２を作動する受信部４３を有している。また、本実施形態においては、受信部４３が行き先無線信号を受信すると確認信号を送出する送信部４４を有している。さらに、アドレス設定部４５が設けられている。
【００２２】
次に、作用を説明する。歩行者１が携帯端末機２に○×役所と入力して行き先無線信号を送出すると、案内表示装置４はこの無線信号を受信して注意喚起表示部を作動する。すなわち、点滅光を発したり、回転灯を作動させたりする。したがって、歩行者１は容易に案内表示装置４および行き先案内表示部４１を認識し、図１においては次の交差点を右折すればよいことが分かる。
【００２３】
また、案内表示装置４は、送信部４４からから確認信号を送出し、携帯端末機２は受信部２４がこの確認信号を受信する。そして、表示手段２５にて表示する。したがって、歩行者が万一注意喚起表示部４２によっても案内表示装置４を発見できなかったとしても、表示手段２５により近くに案内表示装置４が在ることが分かる。これにより、歩行者１がさらに注意深く探すことになり、やがて案内表紙装置４を発見できる。
【００２４】
なお、携帯端末機２は請求項１または２に対応して、受信部および表示手段を有していてもいなくてもよいものである。また、案内表示装置４も同様に送信部を有していてもいなくてもよいものである。
【００２５】
図４は本発明の他の実施形態を示す概略図である。図４も複雑化を避けるために説明に最小限必要な部分を示し、他は省略してある。図４は所定エリアの一部を平面的に示している。図４において、５は道路、６は建物等であり、７は案内表示装置、８は中継手段である。今、Ｘ地点にいる利用者が携帯端末機（図示しないが、上記実施形態と同様なもの）を持ち、行き先９を目指しているものとする。
【００２６】
携帯端末機を操作して行き先無線信号が送出されると、この無線信号は中継手段８に受信される。中継手段８は、予め各地点に対する行き先無線信号とこの行き先を示す案内表示装置７・・・との関係が対応付けられている。したがって、今、行き先９を示す無線信号を受信すると、行き先９を示す案内表示装置７の注意喚起表示部が作動する。利用者は、この注意喚起表示部の作動により、案内表示装置７をイ→ロ→ハの順に認識して、行き先地９に到着する。
【００２７】
また、案内表示装置７は、注意喚起表示に変えてあるいは併せて確認信号を送信するようにしてもよい。この場合、携帯端末機は確認信号に応動して表示手段が作動する。これによって、上述したように利用者は案内表示装置７を認識するに至る。
【図面の簡単な説明】
【００２８】
【図１】本発明の第１の実施形態を示す概略図。
【図２】携帯端末機の一実施形態の構成を示すブロック図。
【図３】案内表示装置の一実施形態の構成を示すブロック図。
【図４】本発明の第２の実施形態を示す概略図。
【符号の説明】
【００２９】
１…歩行者、２…携帯端末機、４，７…案内表示装置、８…中継手段、４１…行き先案内表示部、４２…注意喚起表示部。
【図１】
2005106697.tif 000003
【図２】
2005106697.tif 000004
【図３】
2005106697.tif 000005
【図４】
2005106697.tif 000006